(57)【要約】【課題】収容部内に収容されている媒体の種類の指定し忘れを抑制することができる印刷装置を提供する。【解決手段】印刷装置は、装置本体からの離脱及び同装置本体への装着が可能な給紙カセットと、給紙カセットに設けられ、用紙サイズを指定すべく操作される操作ダイヤル３１と、操作ダイヤル３１が指定する用紙サイズに応じた制御を実施する制御装置５０とを備える。制御装置５０は、給紙カセットが装置本体から離脱されたときに操作ダイヤル３１が指定する用紙サイズと、その後に給紙カセットが装置本体に装着されたときに操作ダイヤル３１が指定する用紙サイズとが同一である場合、警告処理を実施する。【選択図】図５
2015193472.tif 000002
【特許請求の範囲】
【請求項１】
内部で媒体に印刷が施される装置本体と、
前記装置本体からの離脱及び同装置本体への装着が可能であって、且つ媒体が収容される収容部と、
前記収容部に設けられ、媒体の種類を指定すべく操作される指定用操作部と、
前記指定用操作部によって指定されている媒体の種類に応じた制御を実施する制御装置と、を備えた印刷装置において、
前記制御装置は、
前記収容部が前記装置本体から離脱されたときに前記指定用操作部が指定する媒体の種類と、前記収容部が前記装置本体から離脱された後に同収容部が同装置本体に装着されたときに前記指定用操作部が指定する媒体の種類とが異なる場合、警告処理を実施しない一方、
前記収容部が前記装置本体から離脱されたときに前記指定用操作部が指定する媒体の種類と、前記収容部が前記装置本体から離脱された後に同収容部が同装置本体に装着されたときに前記指定用操作部が指定する媒体の種類とが同一である場合、前記警告処理を実施する、ことを特徴とする印刷装置。
【請求項２】
前記警告処理は、前記指定用操作部の操作を促す処理である
請求項１に記載の印刷装置。
【請求項３】
前記装置本体には、前記収容部内に収容されている媒体の種類を指定すべく操作される他の指定用操作部が前記指定用操作部とは別に設けられ、
前記指定用操作部は、
同指定用操作部によって指定されている媒体の種類に応じた制御を前記制御装置に指定する第１の態様と、
前記収容部内の媒体の種類の指定を前記他の指定用操作部での操作に委ねる制御を前記制御装置に指定する第２の態様と、が選択可能に構成されており、
前記制御装置は、
前記指定用操作部が前記第１の態様である場合、前記警告処理の実施を許可する一方、
前記指定用操作部が前記第２の態様である場合、前記警告処理を実施しないで、前記他の指定用操作部での媒体の種類の指定を促す報知処理を実施する
請求項１又は請求項２に記載の印刷装置。
【請求項４】
前記装置本体からの前記収容部の離脱及び前記装置本体への前記収容部への装着を検知する装着検知センサーを備え、
前記制御装置は、
前記装着検知センサーによって前記収容部の前記装置本体からの離脱が検知されたときに前記指定用操作部が指定する媒体の種類と、前記装着検知センサーによって前記収容部の前記装置本体からの離脱が検知された後に同装着検知センサーによって同収容部の同装置本体への装着が検知されたときに前記指定用操作部が指定する媒体の種類とが異なる場合、前記警告処理を実施しない一方、
前記装着検知センサーによって前記収容部の前記装置本体からの離脱が検知されたときに前記指定用操作部が指定する媒体の種類と、前記装着検知センサーによって前記収容部の前記装置本体からの離脱が検知された後に同装着検知センサーによって同収容部の同装置本体への装着が検知されたときに前記指定用操作部が指定する媒体の種類とが同一である場合、前記装着検知センサーによって前記収容部の前記装置本体への装着が検知されたときに前記警告処理を実施する
請求項１〜請求項３のうち何れか一項に記載の印刷装置。
【請求項５】
前記収容部内での媒体の有無を検知する媒体有無検知センサーを備え、
前記制御装置は、前記媒体有無検知センサーによって前記収容部内に媒体がない状態から前記収容部内に媒体がある状態への移行が検知されたときに、前記収容部が前記装置本体に装着されたと判定する
請求項１〜請求項３のうち何れか一項に記載の印刷装置。
【請求項６】
前記収容部内での媒体の有無を検知する媒体有無検知センサーを備え、
前記制御装置は、
前記収容部内に媒体があることが前記媒体有無検知センサーによって検知されている状態で、当該収容部の前記装置本体からの離脱が前記装着検知センサーによって検知された場合、
前記装着検知センサーによって前記収容部の前記装置本体からの離脱が検知された後に同装着検知センサーによって同収容部の同装置本体への装着が検知された場合に前記収容部内に媒体があることが前記媒体有無検知センサーによって検知されているときには、
前記警告処理の実施を許可する
請求項４に記載の印刷装置。
【請求項７】
前記制御装置は、
前記収容部内に媒体がないことが前記媒体有無検知センサーによって検知されている状態で、当該収容部の前記装置本体からの離脱が前記装着検知センサーによって検知された場合、
前記装着検知センサーによって前記収容部の前記装置本体からの離脱が検知された後に同装着検知センサーによって同収容部の同装置本体への装着が検知された場合に前記収容部内に媒体があることが前記媒体有無検知センサーによって検知されているときには、
前記警告処理の実施を禁止する
請求項６に記載の印刷装置。
【請求項８】
前記指定用操作部によって指定される媒体の種類は、媒体のサイズを含む
請求項１〜請求項７のうち何れか一項に記載の印刷装置。
【発明の詳細な説明】
【技術分野】
【０００１】
本発明は、印刷装置に関する。
【背景技術】
【０００２】
特許文献１には、装置本体からの離脱及び装置本体への装着が可能な給紙カセット（収容部の一例）を備える印刷装置の一例が記載されている。こうした印刷装置の給紙カセットには、ユーザーによる操作によって回転されるダイヤル（指定用操作部の一例）が設けられている。このダイヤルは給紙カセット内に収容されている用紙のサイズ（媒体の種類の一例）を指定すべくユーザーに操作されるものであり、ダイヤルによって指定されている用紙サイズに応じた信号が印刷装置の制御装置に出力される。そして、制御装置は、当該給紙カセット内の用紙に対して記録を行う際には、ダイヤルによって指定されている用紙サイズに応じて、用紙の搬送処理などの各種処理を実施するようになっている。
【先行技術文献】
【特許文献】
【０００３】
【特許文献１】特開２０１３−１１２４４９号公報
【発明の概要】
【発明が解決しようとする課題】
【０００４】
ところで、上記のような印刷装置にあっては、給紙カセットに用紙をセットしたユーザーがダイヤルの操作を忘れてしまうことがある。特に、前回に給紙カセットにセットした用紙のサイズ（例えば、Ａ３）と今回に給紙カセットにセットした用紙のサイズ（例えば、Ａ４）とが異なっていると、実際に給紙カセット内に収容されている用紙のサイズと、ダイヤルによって指定されている用紙サイズとが相違することとなる。この場合、ダイヤルによって指定されている用紙サイズをパラメーターとして用いる処理を適切に実施することができず、例えば紙ジャムなどのエラーが生じるおそれがある。
【０００５】
本発明の目的は、収容部内に収容されている媒体の種類の指定し忘れを抑制することができる印刷装置を提供することにある。
【課題を解決するための手段】
【０００６】
上記目的を達成する印刷装置は、内部で媒体に印刷が施される装置本体と、前記装置本体からの離脱及び同装置本体への装着が可能であって、且つ媒体が収容される収容部と、前記収容部に設けられ、媒体の種類を指定すべく操作される指定用操作部と、前記指定用操作部によって指定されている媒体の種類に応じた制御を実施する制御装置と、を備えた装置を前提としている。この印刷装置において、前記制御装置は、前記収容部が前記装置本体から離脱されたときに前記指定用操作部が指定する媒体の種類と、前記収容部が前記装置本体から離脱された後に同収容部が同装置本体に装着されたときに前記指定用操作部が指定する媒体の種類とが異なる場合、警告処理を実施しない一方、前記収容部が前記装置本体から離脱されたときに前記指定用操作部が指定する媒体の種類と、前記収容部が前記装置本体から離脱された後に同収容部が同装置本体に装着されたときに前記指定用操作部が指定する媒体の種類とが同一である場合、前記警告処理を実施する。
【０００７】
収容部が装置本体から離脱されたときに指定用操作部が指定していた媒体の種類と、その後に収容部が装置本体に装着されたときに指定用操作部が指定している媒体の種類とが同一である場合、当該収容部への媒体のセットに際して、ユーザーが指定用操作部を操作し忘れた可能性がある。そのため、上記構成によれば、この場合には、警告処理が実施されることにより、指定用操作部の操作をユーザーに促すことができる。したがって、収容部内に収容されている媒体の種類の指定し忘れを抑制することができる。
【０００８】
また、収容部が装置本体から離脱されたときに指定用操作部が指定していた媒体の種類と、その後に収容部が装置本体に装着されたときに指定用操作部が指定している媒体の種類とが異なっている場合、ユーザーが指定用操作部を操作したと判断することができる。そのため、この場合には、警告処理が実施されない。すなわち、ユーザーが指定用操作部を適切に操作したにも拘わらず、警告処理が不用意に実施される機会を低減させることもできる。
【０００９】
上記印刷装置において、前記警告処理は、前記指定用操作部の操作を促す処理であることが好ましい。この構成によれば、警告処理の実施によって、指定用操作部の操作をユーザーに適切に促すことができる。
【００１０】
上記印刷装置において、前記装置本体には、前記収容部内に収容されている媒体の種類を指定すべく操作される他の指定用操作部が前記指定用操作部とは別に設けられ、前記指定用操作部は、同指定用操作部によって指定されている媒体の種類に応じた制御を前記制御装置に指定する第１の態様と、前記収容部内の媒体の種類の指定を前記他の指定用操作部での操作に委ねる制御を前記制御装置に指定する第２の態様と、が選択可能に構成されている。この場合、前記制御装置は、前記指定用操作部が前記第１の態様である場合、前記警告処理の実施を許可する一方、前記指定用操作部が前記第２の態様である場合、前記警告処理を実施しないで、前記他の指定用操作部での媒体の種類の指定を促す報知処理を実施することが好ましい。
【００１１】
上記構成によれば、指定用操作部が第２の態様である場合、収容部が装置本体に装着されると、報知処理が実施されることにより、他の指定用操作部の操作をユーザーに促すことができる。そのため、ユーザーの他の指定用操作部の操作し忘れを抑制することができる。
【００１２】
また、指定用操作部が第１の態様である場合、収容部が装置本体から離脱されたときに指定用操作部が指定していた媒体の種類と、その後に収容部が装置本体に装着されたときに指定用操作部が指定している媒体の種類とが同一であるときには、警告処理が実施される。これにより、ユーザーに指定用操作部の操作を適切に促すことができる。
【００１３】
一方、指定用操作部が第１の態様である場合であっても、収容部が装置本体から離脱されたときに指定用操作部が指定していた媒体の種類と、その後に収容部が装置本体に装着されたときに指定用操作部が指定している媒体の種類とが異なっているときには、警告処理及び報知処理の双方が実施されない。よって、ユーザーによる指定用操作部の操作によって、収容部内の媒体の種類が適切に指定されているにも拘わらず、媒体の種類を指定するための指定用操作部や他の指定用操作部の操作がユーザーに促されることを抑制することができる。
【００１４】
上記印刷装置は、前記装置本体からの前記収容部の離脱及び前記装置本体への前記収容部への装着を検知する装着検知センサーを備えるようにしてもよい。この場合、前記制御装置は、前記装着検知センサーによって前記収容部の前記装置本体からの離脱が検知されたときに前記指定用操作部が指定する媒体の種類と、前記装着検知センサーによって前記収容部の前記装置本体からの離脱が検知された後に同装着検知センサーによって同収容部の同装置本体への装着が検知されたときに前記指定用操作部が指定する媒体の種類とが異なる場合、前記警告処理を実施しない一方、前記装着検知センサーによって前記収容部の前記装置本体からの離脱が検知されたときに前記指定用操作部が指定する媒体の種類と、前記装着検知センサーによって前記収容部の前記装置本体からの離脱が検知された後に同装着検知センサーによって同収容部の同装置本体への装着が検知されたときに前記指定用操作部が指定する媒体の種類とが同一である場合、前記装着検知センサーによって前記収容部の前記装置本体への装着が検知されたときに前記警告処理を実施することが好ましい。
【００１５】
上記構成によれば、装着検知センサーによって収容部の装置本体からの離脱及び収容部の装置本体への装着を検知することができる。
上記印刷装置は、前記収容部内での媒体の有無を検知する媒体有無検知センサーを備えるようにしてもよい。この場合、前記制御装置は、前記媒体有無検知センサーによって前記収容部内に媒体がない状態から前記収容部内に媒体がある状態への移行が検知されたときに、前記収容部が前記装置本体に装着されたと判定することが好ましい。この構成によれば、媒体有無検知センサーによる検知結果に基づき、収容部が装置本体に装着されたか否かを判断することができる。
【００１６】
上記印刷装置は、前記収容部内での媒体の有無を検知する媒体有無検知センサーを備えるようにしてもよい。この場合、前記制御装置は、前記収容部内に媒体があることが前記媒体有無検知センサーによって検知されている状態で、当該収容部の前記装置本体からの離脱が前記装着検知センサーによって検知された場合、前記装着検知センサーによって前記収容部の前記装置本体からの離脱が検知された後に同装着検知センサーによって同収容部の同装置本体への装着が検知された場合に前記収容部内に媒体があることが前記媒体有無検知センサーによって検知されているときには、前記警告処理の実施を許可することが好ましい。
【００１７】
収容部内に媒体が未だある状態で同収容部が装置本体から離脱され、その後、同収容部が装置本体に装着されることがある。この場合、上記構成では、収容部を装置本体から離脱させた状態で同収容部に収容される媒体の種類が変更された可能性があるため、警告処理が実施される。したがって、媒体の種類の指定をユーザーに促すことができる。
【００１８】
上記印刷装置において、前記制御装置は、前記収容部内に媒体がないことが前記媒体有無検知センサーによって検知されている状態で、当該収容部の前記装置本体からの離脱が前記装着検知センサーによって検知された場合、前記装着検知センサーによって前記収容部の前記装置本体からの離脱が検知された後に同装着検知センサーによって同収容部の同装置本体への装着が検知された場合に前記収容部内に媒体があることが前記媒体有無検知センサーによって検知されているときには、前記警告処理の実施を禁止することが好ましい。
【００１９】
収容部内に媒体がない状態で同収容部が装置本体から離脱され、その後、同収容部が装置本体に装着されることがある。この場合、上記構成では、収容部内には前回にセットされた媒体と同一種類の媒体がセットされた可能性があるため、警告処理が実施されない。そのため、媒体の種類の指定が不要な場合に警告処理が不用意に実施されることを抑制することができる。
【００２０】
上記印刷装置において、前記指定用操作部によって指定される媒体の種類は、媒体のサイズを含むことが好ましい。この構成によれば、指定用操作部を操作することにより、収容部内に収容されている媒体のサイズを指定することができる。
【図面の簡単な説明】
【００２１】
【図１】印刷装置の一実施形態を示す模式図。
【図２】操作ダイヤルを模式的に示す平面図。
【図３】（ａ），（ｂ）は操作ダイヤルの給紙カセットへの組み付け態様を示す図。
【図４】（ａ）〜（ｃ）は表示操作パネルを示す模式図。
【図５】印刷装置の制御装置の機能構成を示すブロック図。
【図６】給紙カセットが装置本体に装着された際の処理手順を示すフローチャート。
【図７】報知処理が実施された場合の表示画面の表示態様を示す図。
【図８】警告処理が実施された場合の表示画面の表示態様を示す図。
【図９】別の実施形態の印刷装置において、給紙カセットが装置本体に装着された際の処理手順を示すフローチャート。
【発明を実施するための形態】
【００２２】
以下、印刷装置の一実施形態を図１〜図８に従って説明する。
図１に示すように、印刷装置１１の装置本体１２内には、媒体の一例である用紙Ｐに対して印刷を施す印刷ユニット１３と、収容部の一例である給紙カセット２０内の用紙Ｐを印刷ユニット１３に搬送する搬送ユニット１４と、ユーザーインターフェースである表示操作パネル４０とが設けられている。印刷ユニット１３による印刷方式としては、例えば、インクジェット方式、レーザー方式及びドットインパクト方式を挙げることができる。
【００２３】
給紙カセット２０内には、複数枚の用紙Ｐが積層状態で収容される。こうした給紙カセット２０は、装置本体１２からの離脱及び装置本体１２への装着が可能となっている。すなわち、図１において実線で示す状態は、搬送ユニット１４の作動によって給紙カセット２０内の用紙Ｐを印刷ユニット１３に搬送可能な状態であり、給紙カセット２０が装置本体１２に装着されている状態である。一方、図１において二点鎖線で示す状態は、装置本体１２から引き出され、給紙カセット２０内の用紙Ｐを印刷ユニット１３に供給できない状態であり、給紙カセット２０が装置本体１２から離脱されている状態である。よって、本明細書では、図１に実線で示す給紙カセット２０の状態を「装着状態」ともいい、図１に二点鎖線で示す給紙カセット２０の状態を「離脱状態」ともいう。
【００２４】
こうした装置本体１２には、給紙カセット２０が装着状態であるか離脱状態であるかを検知する装着検知センサーＳＥ１と、装着状態である給紙カセット２０内に用紙Ｐがあるか否かを検知する媒体有無検知センサーの一例である用紙有無検知センサーＳＥ２が設けられている。なお、給紙カセット２０内に用紙Ｐがない場合における用紙有無検知センサーＳＥ２からの信号の出力態様は、給紙カセット２０が離脱状態である場合における用紙有無検知センサーＳＥ２からの信号の出力態様とほぼ等しい。
【００２５】
なお、本実施形態の印刷装置１１には、給紙カセット２０内に収容されている用紙Ｐのサイズ（種類の一例）を検出するための種類検出系３０が設けられている。すなわち、種類検出系３０は、給紙カセット２０に設けられ、ユーザーによって操作される指定用操作部の一例である操作ダイヤル３１と、装置本体１２に設けられている指定種類検出スイッチ３２とを有している。この指定種類検出スイッチ３２は、給紙カセット２０が装着状態であるときに操作ダイヤル３１の状態を検出し、検出結果に応じた信号を制御装置に出力する。すなわち、指定種類検出スイッチ３２は、操作ダイヤル３１の状態に応じた制御を制御装置に指定する。
【００２６】
図２に示すように、操作ダイヤル３１は、円盤状をなしており、その中心に設けられている回転軸３１１を中心に回転可能な状態で給紙カセット２０に設けられている。そして、例えば、操作ダイヤル３１の一面３１２には、複数の用紙サイズを示す表記（この場合、Ａ３、Ａ４、Ａ５）と、表示操作パネル４０を示す表記（この場合、パネル）とが記されている。こうした各表記は、周方向においてほぼ等間隔に配置されている。
【００２７】
図３（ａ），（ｂ）に示すように、操作ダイヤル３１は、給紙カセット２０の前側の側壁である前側壁２１内に設けられている。すなわち、前側壁２１内には操作ダイヤル３１が回転可能な状態で配置される収容室が設けられ、前側壁２１の上面２１ａには当該収容室を外部と連通させるための開口２２が設けられている。これにより、給紙カセット２０が離脱状態である場合、上記収容室内の操作ダイヤル３１は、ユーザーの操作によって回転可能となる。
【００２８】
また、前側壁２１の前面２１ｂには、上記収容室内と外部とを繋げる連通窓２３が設けられている。これにより、操作ダイヤル３１の一面３１２に記されている各表記のうち何れか一つ（図３（ａ）では、Ａ３）が、連通窓２３を介して外部から視認可能となっている。
【００２９】
すなわち、ユーザーは、離脱状態にある給紙カセット２０内に用紙Ｐをセットした場合、給紙カセット２０内にセットした用紙Ｐのサイズを表す表記が連通窓２３を介して外部から視認できるように、操作ダイヤル３１を回転させることとなる。ただし、図２に示すように、操作ダイヤル３１に記すことのできる用紙サイズの数は限られている。そのため、操作ダイヤル３１に記されていないサイズ（例えば、Ｂ５）の用紙Ｐを給紙カセット２０内にセットする場合、ユーザーは、表示操作パネル４０を示す表記（この場合、パネル）が連通窓２３を介して外部から視認できるように操作ダイヤル３１を回転させることとなる。この場合、ユーザーは、給紙カセット２０を装着状態にした後、表示操作パネル４０を操作することにより、給紙カセット２０内の用紙Ｐのサイズを指定させることとなる。この点で、表示操作パネル４０が、「他の指定用操作部」の一例に相当する。
【００３０】
なお、本実施形態では、用紙サイズを示す表記（この場合、Ａ３、Ａ４、Ａ５）を外部から連通窓２３を介して視認可能となる操作ダイヤル３１の態様が、「第１の態様」の一例に相当する。表示操作パネル４０を示す表記（この場合、パネル）を外部から連通窓２３を介して視認可能となる操作ダイヤル３１の態様が、「第２の態様」の一例に相当する。そして、給紙カセット２０が装着状態である場合、操作ダイヤル３１が第２の態様であるときには、その旨を示す信号が指定種類検出スイッチ３２から出力される。すなわち、指定種類検出スイッチ３２は、操作ダイヤル３１が第２の態様であるときには、用紙サイズの指定を表示操作パネル４０での操作に委ねる制御を制御装置に指定する。また、操作ダイヤル３１が第１の態様であるときには、操作ダイヤル３１によって指定されている用紙サイズに応じた信号が指定種類検出スイッチ３２から出力される。すなわち、指定種類検出スイッチ３２は、操作ダイヤル３１が第１の態様であるときには、操作ダイヤル３１によって指定されている用紙サイズに応じた制御を制御装置に指定する。
【００３１】
次に、図４を参照し、表示操作パネル４０について説明する。
図４（ａ）に示すように、表示操作パネル４０は、表示画面４１と、ボタン操作部４２とを有している。そして、給紙カセット２０に設けられている操作ダイヤル３１が第２の態様である場合、図４（ａ）に示す表示画面４１で「サイズ」が選択されると、表示画面４１の表示態様が、図４（ａ）に示す表示態様から図４（ｂ）に示す表示態様に遷移される。すなわち、図４（ｂ）に示す表示態様は、給紙カセット２０内に収容されている用紙Ｐのサイズを指定するための態様である。そして、この状態では、表示操作パネル４０のボタン操作部４２を操作することにより、給紙カセット２０内に収容されている用紙Ｐのサイズを指定することができる。
【００３２】
一方、操作ダイヤル３１が第１の態様である場合、図４（ａ）に示す表示態様から図４（ｂ）に示す表示態様への遷移は禁止されている。すなわち、表示操作パネル４０での用紙サイズの指定が禁止される。
【００３３】
また、図４（ａ）に示す表示画面４１で「タイプ」が選択されると、表示画面４１の表示態様が、図４（ａ）に示す表示態様から図４（ｃ）に示す表示態様に遷移される。すなわち、図４（ｃ）に示す表示態様は、給紙カセット２０内に収容されている用紙Ｐのタイプを指定するための態様である。そして、この状態では、表示操作パネル４０のボタン操作部４２を操作することにより、給紙カセット２０内に収容されている用紙Ｐのタイプを指定することができる。なお、こうした図４（ａ）に示す表示態様から図４（ｃ）に示す表示態様への遷移は、操作ダイヤル３１が第１の態様であっても第２の態様であっても許可されている。
【００３４】
次に、図５を参照し、印刷装置１１の制御装置５０について説明する。
図５に示すように、制御装置５０は、ハードウェア及びソフトウェアのうち少なくとも一方で構成される機能部として、印刷制御部５１、表示制御部５２及び用紙情報取得部５３を有している。
【００３５】
印刷制御部５１は、印刷ユニット１３及び搬送ユニット１４を制御し、用紙Ｐへの印刷制御を司る。
表示制御部５２は、表示画面４１の表示制御を司る。すなわち、表示制御部５２は、操作ダイヤル３１が第２の態様である旨の信号が用紙情報取得部５３から入力されている場合、給紙カセット２０の離脱状態から装着状態への移行が検知されたときに、給紙カセット２０内の用紙Ｐのサイズを指定するための表示操作パネル４０の操作を促す旨のメッセージを表示画面４１に表示させる報知処理を実施する。このとき、図７に示すように、表示制御部５２は、当該メッセージを含むウィンドウ４１Ａを、報知処理の実施前に表示画面４１に表示されていた画面の上に重ねるように表示制御を実施する。
【００３６】
また、図５に戻り、表示制御部５２は、操作ダイヤル３１が第１の態様である旨の信号が用紙情報取得部５３から入力されている場合、操作ダイヤル３１の操作を促す旨のメッセージを表示画面４１に表示させる警告処理の実施を許可する。すなわち、表示制御部５２は、装着検知センサーＳＥ１によって給紙カセット２０の離脱状態が検知されたときに操作ダイヤル３１が指定していた用紙サイズと、装着検知センサーＳＥ１によって給紙カセット２０の装着状態が検知されたときに操作ダイヤル３１が指定している用紙サイズとが同一であるときには、警告処理を実施する。一方、表示制御部５２は、装着検知センサーＳＥ１によって給紙カセット２０の離脱状態が検知されたときに操作ダイヤル３１が指定していた用紙サイズと、装着検知センサーＳＥ１によって給紙カセット２０の装着状態が検知されたときに操作ダイヤル３１が指定している用紙サイズとが異なるときには、警告処理を実施しない。なお、図８に示すように、警告処理を実施する場合、表示制御部５２は、当該メッセージを含むウィンドウ４１Ｂを、警告処理の実施前に表示画面４１に表示されていた画面の上に重ねるように表示制御を実施する。
【００３７】
また、図５に戻り、表示制御部５２には、ユーザーによる表示操作パネル４０のボタン操作部４２の操作に応じた信号が入力される。例えば、表示制御部５２には、ボタン操作部４２の操作によって給紙カセット２０内の用紙Ｐのサイズやタイプが指定されたときには、指定されたサイズやタイプに関する情報が入力される。そして、この場合、表示制御部５２は、ボタン操作部４２の操作によって指定された用紙Ｐのサイズやタイプに関する情報を用紙情報取得部５３に出力する。
【００３８】
用紙情報取得部５３は、用紙有無判定部５３１、カセット装着判定部５３２、指定種類取得部５３３及び変更判定部５３４を有している。
用紙有無判定部５３１は、用紙有無検知センサーＳＥ２から入力される信号に基づき、給紙カセット２０内に用紙Ｐがあるか否かを判定する。そして、用紙有無判定部５３１は、判定結果に関する情報を変更判定部５３４に出力する。
【００３９】
カセット装着判定部５３２は、装着検知センサーＳＥ１から入力される信号に基づき、給紙カセット２０が離脱状態であるか装着状態であるかを判定する。そして、カセット装着判定部５３２は、判定結果に関する情報を指定種類取得部５３３及び変更判定部５３４に出力する。
【００４０】
指定種類取得部５３３は、カセット装着判定部５３２から入力される情報に基づき、給紙カセット２０が離脱状態から装着状態に移行されたと判定したときに、指定種類検出スイッチ３２から出力されている信号に基づいて操作ダイヤル３１の態様（第１の態様又は第２の態様）を取得する。そして、指定種類取得部５３３は、操作ダイヤル３１の態様に関する情報を変更判定部５３４に出力する。なお、指定種類取得部５３３は、操作ダイヤル３１が第１の態様である場合、操作ダイヤル３１によって指定されている用紙サイズを取得し、取得した用紙サイズに関する情報も変更判定部５３４に出力する。
【００４１】
変更判定部５３４は、指定種類記憶部５３５を含む。この指定種類記憶部５３５には、給紙カセット２０が離脱状態になった時点で操作ダイヤル３１によって指定されていた用紙サイズが記憶される。
【００４２】
こうした変更判定部５３４は、給紙カセット２０が装着状態になったときに、操作ダイヤル３１が第２の態様であるか否かを判定する。そして、変更判定部５３４は、操作ダイヤル３１が第２の態様であるときにはその旨を表示制御部５２に出力する。
【００４３】
一方、変更判定部５３４は、操作ダイヤル３１が第１の態様である場合、給紙カセット２０が装着状態になった時点で操作ダイヤル３１によって指定されている用紙サイズと、指定種類記憶部５３５に記憶されている用紙サイズとが同一であるか否かを判定する。そして、変更判定部５３４は、現時点で操作ダイヤル３１によって指定されている用紙サイズが指定種類記憶部５３５に記憶されている用紙サイズと異なる場合、上記警告処理の実施を禁止する旨を表示制御部５２に出力する。その一方で、変更判定部５３４は、現時点で操作ダイヤル３１によって指定されている用紙サイズが指定種類記憶部５３５に記憶されている用紙サイズと同一である場合、上記警告処理の実行を要求する旨を表示制御部５２に出力する。ただし、変更判定部５３４は、給紙カセット２０内に用紙Ｐがない状態で当該給紙カセット２０が離脱状態になり、その後、当該給紙カセット２０が装着状態になり、且つ給紙カセット２０内に用紙Ｐがあるときには、警告処理の実施を禁止する旨を表示制御部５２に出力する。
【００４４】
次に、図６に示すフローチャートを参照し、給紙カセット２０が離脱状態から装着状態に移行した際に制御装置５０が実行する処理手順について説明する。
図６に示すように、制御装置５０は、装着検知センサーＳＥ１からの検出信号に基づき、給紙カセット２０が装置本体１２に装着されたか否かを判定する（ステップＳ１１）。すなわち、このステップＳ１１では、給紙カセット２０が離脱状態から装着状態に移行されたか否かが判定される。そして、未だ給紙カセット２０が装置本体１２に装着されていない場合（ステップＳ１１：ＮＯ）、制御装置５０は、給紙カセット２０の装置本体１２への装着が検知されるまでステップＳ１１の判定処理を繰り返し実行する。
【００４５】
一方、給紙カセット２０が装置本体１２に装着された場合（ステップＳ１１：ＹＥＳ）、制御装置５０は、指定種類検出スイッチ３２から出力される信号に基づき、表示操作パネル４０での用紙サイズの指定が指示されているか否かを判定する（ステップＳ１２）。すなわち、ステップＳ１２では、給紙カセット２０の連通窓２３から視認することのできる表記が「パネル」であるか否かが判定される。そして、表示操作パネル４０での用紙サイズの指定が指示されている場合（ステップＳ１２：ＹＥＳ）、制御装置５０は、報知処理を実施し（ステップＳ１３）、本処理を終了する。
【００４６】
一方、表示操作パネル４０での用紙サイズの指定が指示されていない場合（ステップ１２：ＮＯ）、制御装置５０は、給紙カセット２０が装着状態から離脱状態に移行するときに操作ダイヤル３１が指定していた用紙サイズである前回の用紙サイズＭ１を、指定種類記憶部５３５から読み出す（ステップＳ１４）。そして、制御装置５０は、指定種類検出スイッチ３２から出力されている信号に基づき、現時点で操作ダイヤル３１が指定している用紙サイズである今回の用紙サイズＭ２を取得する（ステップＳ１５）。
【００４７】
続いて、制御装置５０は、給紙カセット２０が装着状態から離脱状態に移行する直前では当該給紙カセット２０内に用紙Ｐが有ったか否かを判定する（ステップＳ１６）。給紙カセット２０が装着状態から離脱状態に移行する直前では当該給紙カセット２０内に用紙Ｐがなかった場合、今回の給紙カセット２０の装置本体１２からの離脱時には、給紙カセット２０内に前回にセットされた用紙と同一サイズの用紙が、給紙カセット２０内にセットされた可能性がある。この場合、ユーザーは、操作ダイヤル３１を意図的に操作しなかった可能性があるため、警告処理を実施しないことが好ましい。一方、給紙カセット２０が装着状態から離脱状態に移行する直前では当該給紙カセット２０内に用紙Ｐが有った場合、今回の給紙カセット２０の装置本体１２からの離脱時には、給紙カセット２０内に前回にセットされた用紙とは異なるサイズの用紙が、給紙カセット２０内にセットされた可能性がある。この場合、操作ダイヤル３１によって指定されている用紙サイズが変わっていないときには、ユーザーによる操作ダイヤル３１の操作し忘れの可能性があるため、警告処理を実施することが好ましい。
【００４８】
そのため、給紙カセット２０が装着状態から離脱状態に移行する直前では当該給紙カセット２０内に用紙Ｐがなかった場合（ステップＳ１６：ＮＯ）、制御装置５０は、警告処理を実施することなく、本処理を終了する。一方、給紙カセット２０が装着状態から離脱状態に移行する直前では当該給紙カセット２０内に用紙Ｐがあった場合（ステップＳ１６：ＹＥＳ）、制御装置５０は、ステップＳ１４で読み出した前回の用紙サイズＭ１と、ステップＳ１５で取得した今回の用紙サイズＭ２とが異なっているか否かを判定する（ステップＳ１７）。前回の用紙サイズＭ１と今回の用紙サイズＭ２とが異なっている場合（ステップＳ１７：ＹＥＳ）、制御装置５０は、警告処理を実施することなく、本処理を終了する。一方、前回の用紙サイズＭ１と今回の用紙サイズＭ２とが同一である場合（ステップＳ１７：ＮＯ）、制御装置５０は、警告処理を実施し（ステップＳ１８）、本処理を終了する。
【００４９】
次に、図７及び図８を参照し、本実施形態の印刷装置１１の作用について説明する。
給紙カセット２０が装置本体１２から離脱され、当該給紙カセット２０内に「Ｂ５」の用紙Ｐがセットされたとする。この場合、給紙カセット２０に設けられている操作ダイヤル３１には、「Ｂ５」を指定するための表記が記されていない。そのため、操作ダイヤル３１は、給紙カセット２０の連通窓２３から「パネル」という表記が視認できるようにユーザーによって操作される。そして、この状態で給紙カセット２０が装置本体１２に装着される。すると、この操作ダイヤル３１の態様（すなわち、第２の態様）に応じた信号が、指定種類検出スイッチ３２から制御装置５０に出力されるようになる。
【００５０】
その結果、図７に示すように、表示操作パネル４０の表示画面４１には、「表示操作パネルで用紙サイズを設定してください」というメッセージを含むウィンドウ４１Ａが表示される（報知処理）。すると、当該ウィンドウ４１Ａを視認したユーザーは、表示操作パネル４０を操作し、給紙カセット２０内の用紙Ｐのサイズを指定する。
【００５１】
また、例えば「Ａ４」の用紙Ｐが未だ有る給紙カセット２０が装置本体１２から離脱され、給紙カセット２０内の用紙が、「Ａ４」から「Ａ５」に変更されたとする。このとき、ユーザーが操作ダイヤル３１を操作し忘れ、給紙カセット２０が装置本体１２に装着された場合、給紙カセット２０の連通窓２３から視認することのできる表記は、「Ａ４」のままとなっている。この場合、前回の用紙サイズＭ１と今回の用紙サイズＭ２とが同一であるため、図８に示すように、表示操作パネル４０の表示画面４１には、「給紙カセットのダイヤルを確認してください。」というメッセージを含むウィンドウ４１Ｂが表示される（警告処理）。
【００５２】
こうしたウィンドウ４１Ｂを視認したユーザーは、給紙カセット２０を離脱状態にした上で、操作ダイヤル３１を操作する。そして、ユーザーは、連通窓２３から視認できる表記が「Ａ５」であることを確認し、給紙カセット２０を装置本体１２に装着する。
【００５３】
なお、図８に示すウィンドウ４１Ｂが表示され始めてからの経過時間が所定時間（例えば、１０秒程度）を経過しても操作ダイヤル３１の操作が検知されなかった場合、給紙カセット２０内に収容されている現在の用紙のサイズと、操作ダイヤル３１が指定している用紙サイズとが同一である可能性がある。すなわち、給紙カセット２０を装置本体１２に装着させる際に、ユーザーが、操作ダイヤル３１を意図的に操作しなかった可能性がある。そのため、上記経過時間が所定時間を経過しても、操作ダイヤル３１の操作が検知されない場合には、図８に示すウィンドウ４１Ｂが表示画面４１から自然に消えるようになっている。
【００５４】
一方、用紙Ｐがない状態で給紙カセット２０が装置本体１２から離脱され、当該給紙カセット２０が、用紙Ｐがセットされた状態で装置本体１２に装着されることがある。この場合、離脱状態になる前に給紙カセット２０内にセットされていた用紙Ｐのサイズと、給紙カセット２０内に今回セットされた用紙Ｐのサイズとが同一である可能性がある。そのため、この場合には、操作ダイヤル３１が指定している用紙サイズが、給紙カセット２０の装置本体１２からの離脱前と、給紙カセット２０の装置本体１２への装着後とで変わっていなくても、図８に示すウィンドウ４１Ｂが表示画面４１に表示されない。
【００５５】
以上、上記実施形態によれば、以下のような効果を得ることができる。
（１）給紙カセット２０が装置本体１２から離脱されたときに操作ダイヤル３１が指定していた用紙サイズと、その後に給紙カセット２０が装置本体１２に装着されたときに操作ダイヤル３１が指定している用紙サイズとが同一である場合、当該給紙カセット２０への用紙Ｐのセットに際して、ユーザーが操作ダイヤル３１を操作し忘れた可能性がある。そのため、この場合、警告処理が実施されることにより、操作ダイヤル３１の操作をユーザーに促すことができる。したがって、給紙カセット２０内に収容されている用紙のサイズの指定し忘れを抑制することができる。
【００５６】
（２）また、給紙カセット２０が装置本体１２から離脱されたときに操作ダイヤル３１が指定していた用紙サイズと、その後に給紙カセット２０が装置本体１２に装着されたときに操作ダイヤル３１が指定している用紙サイズとが異なっている場合、ユーザーが操作ダイヤル３１を操作したと判断することができる。そのため、この場合には、警告処理が実施されない。すなわち、ユーザーが操作ダイヤル３１を適切に操作したにも拘わらず、警告処理が不用意に実施される機会を低減させることもできる。
【００５７】
（３）操作ダイヤル３１を第２の態様とすることにより、表示操作パネル４０での操作による用紙サイズの指定を促すことができる。すなわち、操作ダイヤル３１が第２の態様である場合、給紙カセット２０が装置本体１２に装着されると、警告処理ではなく、表示操作パネル４０での操作によって用紙サイズを指定することを促す報知処理が実施される。したがって、操作ダイヤル３１が第２の態様であるときでも、給紙カセット２０内の用紙Ｐのサイズの指定をユーザーに対して適切に案内することができる。
【００５８】
（４）給紙カセット２０内に用紙Ｐが未だある状態で同給紙カセット２０が装置本体１２から離脱され、その後、給紙カセット２０が装置本体１２に装着されることがある。この場合、給紙カセット２０内に収容される用紙Ｐのサイズが変更された可能性があるため、給紙カセット２０が装置本体１２に装着されると警告処理が実施される。したがって、用紙サイズの指定をユーザーに適切に促すことができる。
【００５９】
（５）一方、給紙カセット２０内に用紙Ｐがない状態で同給紙カセット２０が装置本体１２から離脱され、その後、給紙カセット２０が装置本体１２に装着されることがある。この場合、給紙カセット２０内には、前回にセットされた用紙Ｐと同一サイズの用紙Ｐがセットされた可能性があるため、警告処理が実施されない。そのため、用紙サイズの指定が不要な場合に警告処理が不用意に実施されることを抑制することができる。
【００６０】
なお、上記実施形態は以下のように変更してもよい。
・給紙カセット２０には、給紙カセット２０内に収容されている用紙のタイプ（再生紙、厚紙など）を指定するための指定用操作部を設けるようにしてもよい。この場合、装置本体１２には、給紙カセット２０が装着状態であるときに当該指定用操作部が指定する用紙のタイプに応じた信号を制御装置５０に出力する検出スイッチを設けるようにしてもよい。そして、給紙カセット２０が離脱状態になったときに指定用操作部が指定していた用紙タイプと、その後に給紙カセット２０が装着状態になったときに指定用操作部が指定している用紙タイプとが同一であるときには警告処理を実施し、異なっているときには警告処理を実施しないようにしてもよい。
【００６１】
・給紙カセット２０内に用紙Ｐがない状態で同給紙カセット２０が装置本体１２から離脱され、その後、給紙カセット２０が装置本体１２に装着される場合であっても、前回の用紙サイズＭ１と今回の用紙サイズＭ２とが同一であるときには警告処理を実施するようにしてもよい。
【００６２】
・装置本体１２には用紙有無検知センサーＳＥ２を設けなくてもよい。この場合、図６に示すフローチャートでは、ステップＳ１６の判定処理を省略することが好ましい。
・装置本体１２には装着検知センサーＳＥ１を設けなくてもよい。この場合、用紙有無検知センサーＳＥ２からの信号の出力態様の変化に基づいて、給紙カセット２０の離脱状態から装着状態への移行を検知するようにしてもよい。
【００６３】
この場合、図９に示すように、制御装置５０は、給紙カセット２０内では用紙Ｐがない状態から有る状態に変わったか否かを判定する（ステップＳ１１０）。すなわち、給紙カセット２０に用紙Ｐをセットするためには、給紙カセット２０を離脱状態にする必要がある。そのため、給紙カセット２０内に用紙Ｐがない状態から用紙Ｐが有る状態に変わったということは、給紙カセット２０が装置本体１２に装着されたと判断することができる。なお、このステップＳ１２の処理以降は、ここでは説明を割愛するものとする。
【００６４】
・操作ダイヤル３１の一面３１２に記されている用紙サイズ以外のサイズの用紙Ｐを給紙カセット２０にセットすることができない場合、操作ダイヤル３１には「パネル」という表記を設けなくてもよい。
【００６５】
・警告処理は、ユーザーに操作ダイヤル３１の操作を促すことができるのであれば、表示画面４１へのメッセージの表示以外の他の任意の方法で、ユーザーに操作ダイヤル３１の操作を促すようにしてもよい。例えば、警告処理は、音声によって、ユーザーに操作ダイヤル３１の操作を促す処理を含む処理であってもよい。
【００６６】
・報知処理は、例えば、図４（ｂ）や図４（ｃ）に示す画面を表示操作パネル４０に表示させる処理であってもよい。そして、この場合、表示操作パネル４０をユーザーに操作させることにより、用紙サイズや用紙種類を指定させるようにしてもよい。
【００６７】
・報知処理は、ユーザーに表示操作パネル４０の操作を促すことができるのであれば、表示画面４１へのメッセージの表示以外の他の任意の方法で、ユーザーに表示操作パネル４０の操作を促すようにしてもよい。例えば、報知処理は、音声によって、ユーザーに表示操作パネル４０の操作を促す処理を含む処理であってもよい。
【００６８】
・給紙カセット２０に設けられる指定用操作部は、用紙サイズを指定することができるのであれば操作ダイヤル３１以外の他の任意の構成であってもよい。
・印刷装置１１は、複数の給紙カセット２０を備える構成であってもよい。この場合、種類検出系３０は、給紙カセット２０毎に設けることが好ましい。
【００６９】
・媒体は、印刷ユニット１３で印刷することのできる媒体であれば、フィルムや布などの用紙以外の媒体であってもよい。
次に、上記実施形態及び別の実施形態から把握できる技術的思想を以下に追記する。
【００７０】
（イ）前記制御装置は、前記収容部が前記装置本体から離脱されたときに前記指定用操作部が指定する媒体の種類と、前記収容部が前記装置本体から離脱された後に同収容部が同装置本体に装着されたときに前記指定用操作部が指定する媒体の種類とが同一である場合、当該収容部が前記装置本体に装着されたときに前記警告処理を実施することが好ましい。
【００７１】
（ロ）前記制御装置は、前記指定用操作部が前記第２の態様である場合、前記収容部が前記装置本体に装着されたときに、前記報知処理を実施することが好ましい。
【符号の説明】
【００７２】
１１…印刷装置、１２…装置本体、２０…収容部の一例である給紙カセット、３１…指定用操作部の一例である操作ダイヤル、４０…他の指定用操作部の一例である表示操作パネル、５０…制御装置、Ｐ…用紙、ＳＥ１…装着検知センサー、ＳＥ２…媒体有無検知センサーの一例である用紙有無検知センサー。
【図１】
2015193472.tif 000003
【図２】
2015193472.tif 000004
【図３】
2015193472.tif 000005
【図４】
2015193472.tif 000006
【図５】
2015193472.tif 000007
【図６】
2015193472.tif 000008
【図７】
2015193472.tif 000009
【図８】
2015193472.tif 000010
【図９】
2015193472.tif 000011